(57)【要約】【課題】脆く壊れやすい商品や、柔らかく傷つきやすい商品や、その他商品を、物流保管時に、保護できる成形緩衝材を得る。【解決手段】熱融着性（熱可塑性）の有する素材を、細巾帯状や、細断片とした材料として成形するに際し、加熱融着する部分と、加熱融着されない部分を併せ持つ成形緩衝材を、加熱風が通過できる金網等のメッシュ形状材、通過できない断熱板材を用いた構造の成形型により成形した。【選択図】      図４
2004224432.tif 000002
【特許請求の範囲】
【請求項１】
保水性や鮮度保持性や防錆性等の機能を有するものも含む、熱融着性（熱可塑性）を有する、薄紙や、不織布や、フィルムや、その他素材を、細巾帯状や、細断片や、糸状や、その他の形状等とした材料を、成形すべき型内に供給し、加熱成形した緩衝材。
【請求項２】
保水性や鮮度保持性や防錆性等の機能を有するものも含む、熱融着性（熱可塑性）を有する薄紙や、不織布や、フィルムや、その他素材を１枚の、又は複数枚積層したシート状とし、得るべき寸法とした材料を、成形すべき型内に供給し、加熱成形した緩衝材。
【請求項３】
熱融着性（熱可塑性）は有しないが、保水性や鮮度保持性や防錆性等の機能を有するものも含む、薄紙や、不織布や、フィルムや、その他素材を細巾帯状や、細断片や、糸状やその他の形状等として、請求項１及び請求項２に記した、熱融着性（熱可塑性）を有する材料と共に混練した材料を、成形すべき型内に供給し、加熱成形した緩衝材。
【請求項４】
前記請求項１、及び３からなる細巾帯状や、細断片等は、各々が独立した一片であったり、各々が１ヶ所以上の接点を持つ、繋がった細巾帯状や、細断片や、その他の形状等とした材料を、成形すべき型内にそれぞれに、或いは混練して供給し、加熱成形した緩衝材。
【請求項５】
発泡ポリスチレン、発泡ポリプロピレン、発泡ポリエチレン等、熱融着性（熱可塑性）を有するバラ状緩衝材を材料とし、単独で、又は他の材料と混練して、成形すべき型内に供給し、加熱成形した緩衝材。
【請求項６】
前記請求項１又は２、又は３、又は４、或いは５の材料を、成形すべき型内に供給して加熱成形するに際し、材料表面全体を加熱融着して成形された緩衝材と、その製造方法。
【請求項７】
前記請求項１又は２、又は３、又は４、或いは５の材料を、成形すべき型内に供給して加熱成形するに際し、材料表面を加熱融着させる部分と、加熱融着させない部分を併せ持つことを特徴とする成形型を用いて、成形された緩衝材と、その製造方法。
【請求項８】
本発明の緩衝材を成形する成形型には、材料供給時に成形型より、はみ出した材料を裁断除去するバリ取りの為の刃や、柔軟性等を確保すべく必要部位に、切込みを入れるための刃を取り付けた成形型を用いて、成形された緩衝材とその製造方法。
【発明の詳細な説明】
【０００１】
【発明の属する技術分野】
本発明は、物流保管時における物品の保護に用いられる、型内成形による緩衝材とその製造方法に関する。
【０００２】
【従来の技術】
従来の型内成形による緩衝材としては、発泡スチロール成形品（特許公開平１０−１５９７７）に代表される合成樹脂によるものや、パルプモールド成形品（特許公開平９−７８５００）が知られている。
【０００３】
【発明が解決しようとする課題】
従来の発泡スチロール成形品や、パルプモールド成形品はその製造過程において、材料にほぼ均一に圧力がかかり成形される為、商品収納部もその外縁部も、ほぼ同じ発泡倍率なる硬さの成形品しか得られず、非常に脆く壊れやすい商品や、表面が柔らかく傷つきやすい商品、例えば精密部品や製品等、又野菜、果物等の生鮮食品等を、物流保管時において緩衝保護することが難しいという問題点があった。
【０００４】
本発明は、脆く壊れやすい商品や、表面が柔らかく傷つきやすい商品を、その物流保管時において緩衝保護できるよう、柔硬併せ持つ成形品及びその製造方法を提供することを目的としている。
【０００５】
【課題を解決するための手段】
上記目的を達成するために、本発明の成形緩衝材においては、熱融着性（熱可塑性）を有する柔軟な、薄紙や、不織布や、フィルム等の素材を用い、細巾帯状や、細断片等としたり、又はカールをさせたり、エンボス加工や、片面、両面或いは複層ダンボール状とする等して膨らみを持たせた細巾帯状や、細断片等の形状をした材料とした。
【０００６】
又、本発明の成形緩衝材の材料として、熱融着性（熱可塑性）を有しないものであっても、熱融着性（熱可塑性）を有するものとを、上記同様の形状として、混練することにより材料とした。
【０００７】
又、本発明の成形緩衝材の材料として、発泡ポリスチレン、発泡ポリプロピレン、発泡ポリエチレン等、熱融着性（熱可塑性）を有するバラ状緩衝材をも、再度成形型内に供給し、加熱成形することにより再度発泡し、その柔軟性を高められるので材料となり得、使用できる材料の幅を持たせた。
【０００８】
上記材料を用いて得るべき形状とした成形型は、例えば脆く壊れやすい商品や、表面が柔らかく傷つきやすい商品を収納する部分は、断熱して非加熱又は略加熱とすることができる構造として、材料のもつ柔軟性を確保した。
【０００９】
又、上記商品を収納する部分を保持する外縁部等は、材料を硬化させるのに十分な熱風等が通過できて加熱する構造とし、材料を固化させ強度を高めて成形された緩衝材を得られる成形型の構造とした。
【００１０】
【発明の実施の形態】
発明の実施は、素材を裁断機等により細巾帯状等の材料に、そして材料の成形型への供給、成形型の型閉じ、加熱成形、冷却による形状の安定固化、成形型の開放、成形品の取り出しの各工程からなり、以下に熱融着性（熱可塑性）を有する素材を材料としたものの、各工程図及び成形型の状態を図示し説明するが、以下の例示は単に説明のためのものであり、本発明の摘要範囲などを、制限や限定するものではない。
図１は、熱融着性（熱可塑性）を有する素材を、図示しない裁断機等により、細巾帯状（ａ−１）とした材料（Ａ）を、加熱されない収納部を有する成形緩衝材を得るため、収納部は断熱板（Ｄ）で囲い非加熱とし、その他の部分はメッシュ形状板（Ｃ）を用いて、加熱融着出来る構造とした成形型（Ｂ）に、供給する状態を示す略縦断面図であり、細巾帯状や、細断片の材料形状、寸法、供給量等については、求められる緩衝材の形状、寸法、収納商品の柔硬等の条件により異なるので特に明示しないが、収納部分を有し、その収納部分を加熱融着しないものにあっては、細巾帯状（ａ−１）の材料を用い、その長さは少なくとも最長収納寸法の２倍以上のものを使用することが、成形後に収納部分の材料がバラけることが無くなるので望ましい。
【００１１】
又、図示しないが、収納部分も加熱融着する成形緩衝材では、細断片のものも、又請求項５に記した熱融着性（熱可塑性）を有するバラ状緩衝材も材料となり、収納寸法未満の長さのものであっても、全体をメッシュ形状板を用いた構造の成形型を使用することにより、表面が加熱融着、固化されるので利用できる。
【００１２】
又、周囲表面全体を加熱融着、固化し、図９に示す如く、ブロック状の緩衝材（ｇ−１）を成形する場合の材料には、細巾帯状、細断片等、いずれの形状のものも、図８に示すメッシュ形状板を用いた成形型（Ｂ−２）と同様な成形型に必要量収まる寸法のものであれば利用できる。
【００１３】
図２は、図１に示す、加熱されない収納部を有する成形緩衝材（Ｇ）を得るため、収納部を断熱板（Ｄ）で囲い、加熱されない構造とした成形型（Ｂ）に、必要量供給された材料（Ａ）を、蓋（ｂ−１）を閉じて型締めし、収納部以外の材料の表面を加熱融着、固化するに必要十分な加熱風（ｅ）を吹付け、加熱する状態を示す略縦断面図であり、使用する成形型（Ｂ）は、熱融着性（熱可塑性）の材料（Ａ）を、熱風加熱により融着固化し易くするよう、主たる素材に、加熱温度に耐え得る金網等のメッシュ形状材（Ｃ）を使用し、加熱風（ｅ）が材料を直接加熱融着する構造とした。
【００１４】
又、加熱温度、加熱時間については、細巾帯状や、細断片の状態や、求められる成形緩衝材の融着固化状態により異なるので、それぞれの条件により対応すべきものであるため省略する。
【００１５】
更に、成形型（Ｂ）を形成する主たる素材である、金網等のメッシュ形状材（Ｃ）の強度については、本成形緩衝材の材料が、熱融着性（熱可塑性）であるので、発泡スチロール等の成形加工時に発生する、発泡圧に耐え得る頑丈な金型を必要とせず、材料を保持するだけのものでも十分である。
【００１６】
そして、その表面を加熱しない収納部（Ｈ）を有する形状とした緩衝材（Ｇ）を成形する成形型（Ｂ）は、その収納部となる部分の材料を、熱風（ｅ）による加熱をさせないための断熱板材（Ｄ）を用いて、囲った非加熱構造とし、材料の柔らかさを保持し、その他の部分は金網等のメッシュ形状材（Ｃ）を用いる加熱構造とした。
【００１７】
また、図示しないが、成形型には材料供給時にはみ出した材料を取り除くバリ取りの為の刃や、材料の柔軟性をより高める為の刃を、必要に応じて取り付けても良い。
【００１８】
図３は、材料（Ａ）を加熱融着させた後の成形型（Ｂ）、及び表面を硬化させた材料（Ａ）に、冷却風（ｆ）を吹付け、冷却、固化し、形状を安定させる状態を示す略縦断面図であり、成形型（Ｂ）の主たる素材及び構造を、金網等のメッシュ形状材（Ｃ）と、断熱板（Ｄ）を用いた構造としたので、経済的な気体である風で成形型（Ｂ）を冷却でき、水などの液体で冷却する場合の乾燥工程も必要とせず、経済的とした。
【００１９】
図４は、前記工程を経て成形された、加熱融着されない（ｄ−１）収納部（Ｈ）を有する形状の本成形緩衝材（Ｇ）を、成形型（Ｂ）の蓋（ｂ−１）を開き、成形型（Ｂ）から離型された状態を示す略縦断面図である。
【００２０】
図５は、商品を収納する部分は、断熱板材（Ｄ）で加熱されない構造とし、その他の部分は、加熱風や、冷却風が通りやすい、主に金網等のメッシュ形状材（Ｃ）を用いて、収納部を有する成形緩衝材を得るべき形状とした成形型（Ｂ）の斜視図である。
【００２１】
図６は、図５に示すものと同様な形状をした成形型（Ｂ）により成形された、加熱されない（ｄ−１）収納部（Ｈ）を持ち、収納部（Ｈ）の外縁部や側面部は材料を加熱融着固化した（ｄ−２）状態を示す緩衝材（Ｇ）の斜視図である。
【００２２】
図７は、図５に示すものと同様な形状をした成形型により成形された、加熱されない（ｄ−１）収納部（Ｈ）を持ち、その他の部分は加熱融着、固化（ｄ−２）された成形緩衝材の断面斜視図である。
【００２３】
図８は、材料の周囲、表面全体を加熱融着、固化したブロック状の緩衝材（ｇ−１）を成形させる為、６面を主に金網等のメッシュ形状材（Ｃ）を用いて、加熱風や冷却風が、通り易い構造とした成形型（Ｂ−２）を示す斜視図である。
【００２４】
図９は、図８に示ものと同様な形状とした成形型（Ｂ−２）により成形された、周囲、表面全体を加熱融着、固化（ｄ−２）して、ブロック状の緩衝材（ｇ−１）としたものの斜視図である。
【００２５】
図１０は、図８に示すものと同様な形状とした成形型により成形された、ブロック状の緩衝材（ｇ−１）の断面斜視図である。
【００２６】
図１１は、図８に示すものと同様な形状とした成形型（Ｂ−２）により成形された、周囲、表面全体を略加熱融着、略固化したブロック状の緩衝材（ｇ−２）を、解す途中の状態を示す略斜視図である。
【００２７】
【発明の効果】
本発明は、以上説明したように構成されているので、以下に記載されるような効果を奏する。
【００２８】
材料の素材を、熱融着性（熱可塑性）を有する薄紙や不織布やフィルム等とし、その形状を細巾帯状や細断片としたので、何らかのバインダーを添加することなく、熱風で加熱融着するだけで、表面を加熱融着、固化し、求めるべき形状に成形できる。
【００２９】
また、材料素材を、熱融着性（熱可塑性）を有する薄紙や不織布やフィルム等、加熱しても再発泡しない素材を材料とすれば、発泡スチロール等を成形するに使用する、高価な金型を必要とせず、材料を保持するに必要なだけのメッシュ材で良く、安価に成形型を用意できる。
【００３０】
そして、材料素材を、熱融着性（熱可塑性）を有する薄紙や不織布やフィルム等を、細巾帯状や、細断片とすることにより、材料素材の柔らかさを更に際立たせることができ、収納部を加熱硬化させない構造とした成形型で得られた本成形緩衝材は、脆く壊れやすい商品や、表面が柔らかく傷つきやすい商品を、その物流保管時に保護できる。
【００３１】
更に、本成形緩衝材を、ブロック状に略加熱成形することにより得られたものは、その使用時において、ブロック状のままに、またほぐしてバラ状緩衝材としても、状況に応じて使用できる。
【図面の簡単な説明】
【図１】成形型の蓋を開き、型内に材料を供給している略縦断面図である。
【図２】成形型の蓋を閉じて型締めし、成形型の外部より、加熱風により加熱融着させている状況を示す略縦断面図である。
【図３】成形型の外部から、冷却風により、成形型と、加熱融着された材料を冷却することにより、成形状態を固化、保持させている状況を示す略縦断面図である。
【図４】成形型の蓋を開け、成形された収納部を有する緩衝材を取り出す状況を示す略縦断面図である。
【図５】収納部は断熱板で囲い、その他は主としてメッシュ形状板で構成された、加熱されない収納部を有する成形緩衝材を成形するための成形型の斜視図である。
【図６】加熱されない収納部を有し、その他の部分は加熱融着された成形緩衝材の斜視図である。
【図７】加熱されない収納部を有し、その他の部分は加熱融着された成形緩衝材の、断面斜視図である。
【図８】６面全体を加熱融着させたブロック状の緩衝材を成形するため、主として金網状のメッシュ形状材を用いて構成された成形型の斜視図である。
【図９】６面全体を加熱融着、固化したブロック状の成形緩衝材の斜視図である。
【図１０】６面全体を加熱融着、固化したブロック状の成形緩衝材の断面斜視図である。
【図１１】６面全体を略加熱融着、略固化したブロック状の緩衝材を解してバラ状としている状態を示す略斜視図である。
【符号の説明】
Ａ      材料
Ｂ      収納部を有する緩衝材の成形型
Ｂ−２  ブロック状の緩衝材の成形型
Ｃ      メッシュ形状板
Ｄ      断熱板
Ｇ      収納部を有する緩衝材
Ｈ      収納部
ａ−１  細巾帯状片
ａ−２  細断片
ｂ−１  成形型の蓋
ｄ−１  加熱融着されない部分
ｄ−２  加熱融着、固化された部分
ｅ      加熱風
ｆ      冷却風
ｇ−１  ブロック状の緩衝材
ｇ−２  略固化されてブロック状とした緩衝材
【図１】
2004224432.tif 000003
【図２】
2004224432.tif 000004
【図３】
2004224432.tif 000005
【図４】
2004224432.tif 000006
【図５】
2004224432.tif 000007
【図６】
2004224432.tif 000008
【図７】
2004224432.tif 000009
【図８】
2004224432.tif 000010
【図９】
2004224432.tif 000011
【図１０】
2004224432.tif 000012
【図１１】
2004224432.tif 000013